(57)【要約】  本発明は一般に、パッケージングコンテナに関する。パッケージングコンテナは、ベッセルとカバーとを含み、食品及び飲料業界において使用されてもよい。一態様では、本発明は、飲料具材が中に収納されてもよいパッケージングコンテナに関し、そのパッケージコンテナから飲料が、具材に液体を追加することによって準備されてもよく、消費されてもよい。本発明は、一態様では、ベッセル底壁及びベッセル底壁から上向きに延在する直立したベッセル側壁構造を画定するベッセルであって、液体を保持可能な内部ゾーンを画定する、ベッセルと、カバー底壁及びカバー底壁から上向きに延在するカバー側壁構造を画定するカバーであって、カバー側壁構造はベッセル側壁構造の内部に置かれるように構成され、それによりベッセルとカバーとの間に間隙が画定される、カバーと、ベッセルリム構成の下方でベッセルの外部表面にカバーを封止するように適合された、円周方向シールとを含む、パッケージングコンテナを提供する。
2016520481.tif 000002
【特許請求の範囲】
【請求項１】
ベッセル底壁と、前記ベッセル底壁から上向きに延在する直立したベッセル側壁構造とを画定するベッセルであって、液体を保持可能な内部ゾーンを画定する、ベッセルと、
カバー底壁と、前記カバー底壁から上向きに延在するカバー側壁構造とを画定するカバーであって、前記カバー側壁構造は前記ベッセル側壁構造の内部に置かれるように構成され、それにより前記ベッセルと前記カバーとの間に間隙が画定される、カバーと、
ベッセルリム構成の下方で前記ベッセルの外部表面に前記カバーを封止するように適合された、円周方向シールと
を含むパッケージングコンテナ。
【請求項２】
前記カバー側壁構造の上部領域の内部円周は、前記ベッセル底壁の外部円周より大きい、請求項１に記載のパッケージングコンテナ。
【請求項３】
前記ベッセルは、前記ベッセル側壁構造の上部自由端においてベッセルリム構成を含み、前記カバー側壁構造は、前記ベッセルリム構成の上方に配置されるカバーリム構成を有する、請求項１又は請求項２に記載のパッケージングコンテナ。
【請求項４】
前記カバーリム構成は、前記カバー側壁構造の上部端から半径方向外向きに延在するフランジを有し、前記フランジは円周方向で連続している、請求項３に記載のパッケージングコンテナ。
【請求項５】
前記カバーリム構成の少なくとも一部は、半径方向外部部分において下向きに延在して、使用中に前記ベッセルリム構成を含むための環状下向き対向溝を画定する、請求項４に記載のパッケージングコンテナ。
【請求項６】
前記カバーリム構成は、使用中に前記ベッセルリム構成と係合してこれを解放可能に保持する環状クリップとして形成される、請求項４に記載のパッケージングコンテナ。
【請求項７】
前記円周方向シールは、前記ベッセルの前記外部表面に粘着的に固定される下部エッジゾーンを有する、円周方向に延在するフィルムを含む、請求項１〜請求項６のいずれか一項に記載のパッケージングコンテナ。
【請求項８】
前記円周方向シールは、前記カバーの半径方向外向き対向面に粘着的に固定される上部エッジゾーンを有する、円周方向に延在するフィルムを含む、請求項１〜請求項６のいずれか一項に記載のパッケージングコンテナ。
【請求項９】
円周方向に延在する前記フィルムの前記上部エッジゾーンは、前記カバーリム構成の外部表面に粘着的に固定される、請求項８に記載のパッケージングコンテナ。
【請求項１０】
前記円周方向シールは、少なくとも部分的に管状フィルムによって形成される、請求項１〜請求項９のいずれか一項に記載のパッケージングコンテナ。
【請求項１１】
前記円周方向シールを通して少なくとも部分的に延在する開封指示を更に含む、請求項１〜請求項１０のいずれか一項に記載のパッケージングコンテナ。
【請求項１２】
前記開封指示は１つ以上のミシン目線を含む、請求項１１に記載のパッケージングコンテナ。
【請求項１３】
食品若しくは飲料製品が、又は食品若しくは飲料製品を作るための１つ以上の具材が、前記間隙内に存在する、請求項１〜請求項１２のいずれか一項に記載のパッケージングコンテナ。
【請求項１４】
前記１つ以上の具材は乾燥しており、飲料製品を作るためのものである、請求項１３に記載のパッケージングコンテナ。
【請求項１５】
前記ベッセル及び前記カバーは自立可能な寸法である、請求項１〜請求項１４のいずれか一項に記載のパッケージングコンテナ。
【請求項１６】
複数のコンテナが積み重ねられる場合、前記カバー底壁は少なくとも、前記カバー底壁の最上部分の下方に延在する前記ベッセルの下部領域を受け入れるように構成される、請求項１５に記載のコンテナ。
【請求項１７】
前記ベッセルは、食品又は飲料製品を消費中に保持するのに好適である、請求項１〜請求項１６のいずれか一項に記載のパッケージングコンテナ。
【請求項１８】
２つ以上の、請求項１〜請求項１７のいずれか一項に記載のパッケージングコンテナであって、前記２つ以上のパッケージングコンテナは積み重ねられる、２つ以上のパッケージングコンテナ。
【請求項１９】
積み重ねられたスタックの容積は、個々のパッケージングコンテナの容積の合計より小さい、請求項１８に記載の２つ以上のパッケージングコンテナ。
【請求項２０】
前記カバー底壁は、最下部周辺末端から上向きにくぼみを付けられて、凹型のキャビティを形成する、請求項１〜請求項１７のいずれか一項に記載のパッケージングコンテナ。
【請求項２１】
前記コンテナのうちの２つ以上が垂直に積み重ね可能であり、積み重ねられた場合、下部コンテナの下部カバー底壁は上部コンテナの前記ベッセル底壁と係合する、請求項２０に記載のパッケージングコンテナ。
【発明の詳細な説明】
【技術分野】
【０００１】
本発明は一般に、パッケージングコンテナに関する。パッケージングコンテナは、ベッセルとカバーとを含み、食品及び飲料業界において使用されてもよい。一態様では、本発明は、飲料具材が中に収納されてもよいパッケージングコンテナに関し、そのパッケージングコンテナから飲料が、具材に液体を追加することによって準備されてもよく、消費されてもよい。但し、本発明はその適用例のみに限定されないということを理解されたい。
【背景技術】
【０００２】
従来は、食品又は飲料具材を収納するため、食品又は飲料を準備するため、及び準備された食品又は飲料を消費するために、別個のコンテナが使用されてきた。
【０００３】
消費者の要求により、そのまま消費できる形式で又は消費の前に単純な準備ステップのみを必要とする形式で入手可能な製品の、数及び種類の増加がもたらされた。食品又は飲料製品を生産の後に収納すること、及び食品又は飲料をそこから消費することの両方のために使用され得るパッケージングの人気が上昇した。購入の後、消費の前に準備が必要とされる場合、パッケージングは準備を容易にするものでもなければならない。
【０００４】
スーパーマーケットなどの要求だけでなく、特定の業界も製品開発を推進させた。例えば航空業界では、容積、重量、及び準備と消費のしやすさが重要な考慮事項である。機内食及び飲料のパッケージングの大きさはコストを大幅に増加させ得る。同様に、客室乗務員が食品及び飲料を共し得る速度は、必要な客室乗務員の数に、及び特に低コスト航空会社では、サービスアテンダントが客室を通過する際に生成し得る収入に影響を及ぼす。
【０００５】
より一般的に、食品及び飲料製品が販売及び消費される接客業界においては、準備及び消費が迅速かつ容易な製品によって、販売の増加と、皿、カップを提供する必要性の減少と、飲食エリアのサイズの減少とが促進され得る。
【０００６】
消費の前に最小限の準備を必要とする製品の例は、カップ内に予めパッケージングされた「インスタント」ヌードル、及びボウル内に予めパッケージングされた朝食用シリアルである。乾燥ヌードル具材は、消費の前に高温水の追加のみを必要とし得る。乾燥朝食用シリアルは、消費の前に低温のミルクの追加のみを必要とし得る。
【０００７】
そのような製品は一般に、衛生基準を満たすために、タンパーエビデントな物体内に封止されなければならない。カップ又はボウルベッセルの最上部におけるリムが、カップ又はボウルの最上部の全体にわたって同一平面に位置するアルミ箔又はシリコンから作られた蓋によって覆われる。蓋は、熱活性型糊などの接着剤を使用して、カップ又はボウルの最上部上に封止される。
【発明の概要】
【発明が解決しようとする課題】
【０００８】
そのような製品の１つの問題は、水又はミルクの追加を可能にするために、及び準備された製品をこぼす危険をほとんど伴わずに消費することを可能にするために、空気又はガスの大きな容積が、ヌードル又はシリアル食品具材と被せ蓋との間で製品内にしばしば封止されるということである。この空気又はガスの容積は、製品の全容積に大きく寄与する。
【０００９】
別の問題は、接着剤が、蓋を取り外した後にリム上に残るか、又は消費の前にベッセルの内部ゾーン内に落ちる可能性があるということである。接着剤の残存物は非衛生的であり一般に望ましくなく、特に、それらが食品又は飲料内に存在する場合、又はそれらがカップ又はボウルの最上部上に存在し、消費者の唇がそれらと接触する可能性があるか、又は消費中に飲料がそれらを通り越す可能性がある場合は望ましくない。
【００１０】
消費の前に最小限の準備を必要とする製品の別の例は、ポッドを含むカップ（ｐｏｄ−ｃｏｎｔａｉｎｉｎｇ  ｃｕｐ）である。ポッドはカップの内側の、カップの底に配置される。飲料のための乾燥具材がポッド内に配置され、アルミニウムのフィルムがポッドの最上部に接着剤を使用して封止される。ポッドはカップの内側に付着される。消費者はポッドからアルミニウムのフィルムを取り外し、水を追加して飲料を準備する。この製品の問題は、食品基準を満たさない接着剤又はポッド表面との接触によって、消費前又は消費中に飲料が汚染される可能性があるということである。例えば、フィルムを所定の位置に付着させるために使用された糊が、フィルムの取り外し後にポッドの最上部に残る可能性があり、糊は飲料と接触する可能性がある。更に、飲料がポッドとカップの内壁との間にしみ込んで、ポッドをカップ内に付着させるために使用された糊が飲料を汚染することをもたらす可能性がある。糊が熱活性型で、水が高温である場合、問題は悪化する。この製品のもう１つの欠点は、その複雑さである。
【００１１】
上記の説明は、本発明の背景の理解を容易にすることを意図するものである。しかしこの説明は、言及された事柄のいずれかが本出願の優先日においてオーストラリア内で公開されていた、知られていた、又は共通の一般的知識の一部であったということを承認又は容認するものではないということを理解されたい。
【課題を解決するための手段】
【００１２】
一態様では、本発明は、
・ベッセル底壁と、ベッセル底壁から上向きに延在する直立したベッセル側壁構造とを画定するベッセルであって、液体を保持可能な内部ゾーンを画定する、ベッセルと、
・カバー底壁と、カバー底壁から上向きに延在するカバー側壁構造とを画定するカバーであって、カバー側壁構造はベッセル側壁構造の内部に置かれるように構成され、それによりベッセルとカバーとの間に間隙が画定される、カバーと、
・ベッセルリム構成の下方でベッセルの外部表面にカバーを封止するように適合された、円周方向シールと
を含むパッケージングコンテナを提供する。
【００１３】
好ましくは、カバー側壁構造の上部領域の内部円周は、ベッセル底壁の外部円周より大きい。これらの相対寸法は一般に、２つ以上のパッケージングコンテナが積み重ねられることを可能にする。
【００１４】
ベッセルは好ましくは、ベッセル側壁構造の上部自由端においてベッセルリム構成を有し、カバー側壁構造は、ベッセルリム構成の上方に配置されるカバーリム構成を有する。ベッセルリム構成及びカバーリム構成は、それらのそれぞれの側壁構造の上部領域を強化する。ベッセルリム構成はまた、消費者がベッセルから飲料又は液体食品製品を飲む場合に消費者の唇が寄り掛かり得る表面を提供する。
【００１５】
カバーリム構成は好ましくは、カバー側壁構造の上部端から半径方向外向きに延在するフランジを有し、フランジは円周方向で連続している。使用中にフランジは、ベッセルリム構成の最上部上に載る表面を提供する。好ましくは、カバーリム構成の少なくとも一部は、半径方向外部部分において下向きに延在して、使用中にベッセルリム構成を含むための環状下向き対向溝を画定する。カバーリム構成がベッセルリム構成を含む場合、カバーがベッセルに対して横方向に移動する可能性が低くなる。カバーリム構成がベッセルリム構成の上に延在する場合、ベッセルリム構成は、例えばほこりがその上に落ちることによる汚染から、又は糊などの接着剤がそれに粘着することから保護される。ベッセルリム構成を衛生的に維持することは重要であり得、なぜならベッセルの内部ゾーンから液体を消費する場合、消費者の唇がベッセルリムに寄り掛かり得、かつ／又は液体がベッセルリムを通り越し得るからである。
【００１６】
パッケージングコンテナは好ましくは、ベッセルリム構成の下方でベッセルの外部表面にカバーを封止するように適合された、円周方向シールを含む。カバーをベッセルに封止することにより、内部ゾーンの内部に収納された任意の内容が衛生的なままであることが可能になる。
【００１７】
円周方向シールは好ましくは、ベッセルの外部表面に粘着的に固定される下部エッジゾーンを有する、円周方向に延在するフィルムを含む。ベッセルリム構成の下方でベッセルの外部表面にフィルムを付着させることにより、円周方向シールが取り外された後に接着剤の残存物がベッセルリム構成上に残らないことが確実になる。
【００１８】
円周方向シールは好ましくは、カバーの半径方向外向き対向面に粘着的に固定される上部エッジゾーンを有する、円周方向に延在するフィルムを含む。好ましくは、円周方向に延在するフィルムの上部エッジゾーンは、カバーリム構成の外部表面に粘着的に固定されてもよい。フィルムがカバーの半径方向外向き対向面に、又はカバーリム構成の外部表面に付着される場合、ベッセルリム構成は接着剤がない状態のままになる。
【００１９】
円周方向シールは好ましくは、少なくとも部分的に管状フィルムによって形成される。あるいは円周方向シールは、少なくとも部分的にフィルムのリボン又はテープによって形成されてもよく、リボン又はテープは、カバーの円周方向の半径方向外向き対向面と、カバーリム構成の１つ以上の表面とに巻き付けられてもよい。
【００２０】
円周方向シールは好ましくは、それを通して少なくとも部分的に延在する開封指示を含む。開封指示は１つ以上のミシン目線を含む。開封指示は円周方向シール内の弱い点を形成して、カバーがベッセルから取り外される前の、シールのより容易な取り外しを促進してもよい。開封指示は、シールを取り外すために消費者が引くタブを含んでもよい。あるいは消費者は、円周方向シール及び／又はカバーをひねって、開封指示においてシールを破り、シールを取り外してもよい。
【００２１】
好ましくは、食品又は飲料製品が、あるいは食品又は飲料製品を作るための１つ以上の具材が、ベッセルとカバーとの間に画定される間隙内に存在する。ベッセル及びカバーの寸法は、全内容がベッセル底壁の上方、かつカバー底壁の下方に位置するようなものであってもよい。あるいは又は加えて、内容は、ベッセル側壁構造とカバー側壁構造との間にも存在してもよい。
【００２２】
内容は好ましくは乾燥しており、それにより、コンテナ内にパッケージングされる内容の重量が減少する。内容は好ましくは、高温又は低温の水又はミルクなどの液体の追加によって飲料又は食品製品を作るのに好適である。
【００２３】
好ましくは、ベッセル及びカバーは自立可能な寸法である（ｄｉｍｅｎｓｉｏｎａｌｌｙ  ｓｅｌｆ−ｓｕｓｔａｉｎｉｎｇ）。自立可能な寸法であるベッセルにより、シール及びカバーが取り外されたときの、内容並びに／あるいは食品又は飲料製品の保持が支援され、消費者がより容易にベッセルから食品又は飲料製品を消費し得るようになる。自立可能な寸法であるカバーは一般に、製造中にベッセルの内部ゾーン内により容易に挿入される。
【００２４】
好ましくは、複数のコンテナが積み重ねられる場合、カバー底壁は少なくとも、カバー底壁の最上部分の下方に延在するベッセルの下部領域を受け入れるように構成される。好都合には、積み重ねられた構成において、スタック内の第１のパッケージングコンテナの上方に配置された第２のパッケージングコンテナのベッセル底壁は、第１のパッケージングコンテナのカバー底壁に隣接するか又は接触して配置される。積み重ねられた場合のパッケージングコンテナ間の任意の容積を減少させることによって、コンテナのスタックの全体的容積が減少する。
【００２５】
ベッセルは好ましくは、食品又は飲料製品を消費中に保持するのに好適である。食品又は飲料製品を作るための内容をパッケージングするのに好適なベッセルであって、食品又は飲料製品をその中で準備するのに好適であり、かつ食品又は飲料製品をそこから消費するのに好適なベッセルは、特に好都合である。
【００２６】
好ましくは、カバー底壁は、最下部周辺末端から上向きにくぼみを付けられて、凹型のキャビティを形成する。
【００２７】
別の態様では、本発明は、
・ベッセル底壁と、ベッセル底壁から上向きに延在する直立したベッセル側壁構造とを画定するベッセルであって、液体を保持可能な内部ゾーンを画定する、ベッセルと、
・カバー底壁と、カバー底壁から上向きに延在するカバー側壁構造とを画定するカバーであって、カバー側壁構造はベッセル側壁構造の内部に置かれるように構成され、それによりベッセルとカバーとの間に間隙が画定される、カバーと、
を含むパッケージングコンテナを提供し、
ここでベッセルは、ベッセル側壁構造の上部自由端においてベッセルリム構成を含み、カバー側壁構造は、ベッセルリム構成の上方に配置されるカバーリム構成を有し、カバーリム構成は、カバー側壁構造の上部端から半径方向外向きに延在するフランジを有し、フランジは円周方向で連続しており、カバーリム構成は、使用中にベッセルリム構成と係合してこれを解放可能に保持する環状クリップとして形成される。
【００２８】
別の態様では、本発明は、２つ以上のパッケージングコンテナを提供し、２つ以上のパッケージングコンテナは積み重ねられる。パッケージングコンテナを積み重ねることにより、輸送が支援される。好ましくは、スタックの容積は、個々のパッケージングコンテナの容積の合計より小さい。このようにして容積を減らすことにより、保管及び輸送コストの減少が対応してもたらされる。容積の減少により、更に、消費者がパッケージングコンテナを保管する場合の利便性が向上し、消費者がより多数のパッケージングコンテナを所与の空間内に収めることが可能になる。
【００２９】
好ましくは、２つ以上のコンテナが垂直に積み重ね可能であり、積み重ねられた場合、下部コンテナの下部カバー底壁は上部コンテナのベッセル底壁と係合する。
【００３０】
別の態様では、本発明は、加熱される食品製品に関連して使用するためのパッケージングコンテナを提供する。この実施形態では、パッケージングコンテナは、１つ以上の具材を収納するのに好適である。１つ以上の具材は、コンテナ内で液体と混ぜ合わされてもよい。混ぜ合わされた１つ以上の具材と液体とは次に、消費の前にコンテナ内で加熱されてもよい。好ましくは、２つ以上の具材が存在する。好ましくは、液体は水である。好ましくは、具材と水とは攪拌によって混ぜ合わされる。好ましくは、混ぜ合わされた具材と水とは、食品製品をもたらすために電子レンジ内で加熱される。あるいは、混ぜ合わされた具材と水とは、食品製品をもたらすために従来の家庭用オーブン内で焼かれてもよい。カバー１４は好ましくは、加熱の前に取り外される。食品製品は、ベッセルから直接、又はベッセルから移動された後に消費されてもよい。
【００３１】
この態様において、ベッセルは好ましくは、ポリプロピレンの薄層でコーティングされた板紙から作られ、これによりベッセルは耐水性になる。ポリエチレンとは異なり、ポリプロピレンは、電子レンジ対応であるという利点を有し得る。
【００３２】
本発明の好ましい実施形態について、次に、添付の図面を参照して例としてのみ説明する。
【図面の簡単な説明】
【００３３】
【図１】本発明の好ましい実施形態によるパッケージングコンテナの斜視図である。カバー側壁構造はベッセル側壁構造の内部に置かれ、円周方向シールはベッセルの外部表面にカバーを封止する。
【図２】図１によるパッケージングコンテナの側断面図である。
【図２Ａ】図１によるパッケージングコンテナの一部をより詳細に示す切り欠き側断面図であり、ここで、カバーリム構成の一部が、半径方向外部部分において下向きに延在して、ベッセルリム構成を含む環状下向き対向溝を画定する。
【図２Ｂ】本発明の別の好ましい実施形態によるパッケージングコンテナの一部を示す切り欠き側断面図であり、ここで、カバーリム構成は、使用中にベッセルリム構成と係合してこれを解放可能に保持する環状クリップとして形成される。
【図３】図１によるパッケージングコンテナの側断面図であり、ここで、食品又は飲料製品あるいは１つ以上の具材がベッセルとカバーとの間の間隙内に存在する。
【図４】図１によるパッケージングコンテナの複数のスタックの側断面図である。
【図５】ベッセルの下部領域が実質的に平坦である、別の好ましい実施形態によるパッケージングコンテナの側断面図である。
【図６】別の好ましい実施形態によるパッケージングコンテナの２つのスタックの側断面図であり、ここで、下部カバー底壁は、下部カバー底壁の最上部分の下方に延在する上部ベッセルの下部領域を受け入れるように構成される。
【図７】図６によるパッケージングコンテナの３つのスタックの側断面図であり、ここで、下部カバー底壁は上部ベッセルの下部領域を受け入れ、それによりスタックの全体的高さが減少する。
【図８】別の好ましい実施形態によるパッケージングコンテナの２つのスタックの側断面図であり、ここで、カバー底壁は図１の実施形態に比較して上昇され、それにより間隙の容積が増加する。
【図９】別の好ましい実施形態によるパッケージングコンテナの側断面図であり、ここで、加熱される食品製品と共に使用するために、コンテナの寸法は図１の実施形態から最適化されている。
【発明を実施するための形態】
【００３４】
図１を参照すると、本発明の好ましい実施形態によるパッケージングコンテナ１０は、カップの形態のベッセル１２と、カバー１４と、円周方向に延在する管状フィルム１６の形態の円周方向シールとを含む。好ましい実施形態による管状フィルム１６は、下部エッジ４６から管状フィルム１６の高さの約半分まで垂直に延在する２つのミシン目線１８、２０を含む開封指示を含む。開封指示は懸垂タブ２２も含む。使用中に消費者は、タブ２２をしっかりとつかんで引いて、管状フィルム１６内の最も弱い線であるミシン目線１８、２０を引き裂くことによって、管状フィルム１６を破ってもよい。複数のパッケージングコンテナ１０が積み重ねられて引き抜かれる場合に管状フィルム１６が意図せずに裂ける可能性を最小にするために、ミシン目線１８、２０は管状フィルム１６の最上部エッジまでは延在しない。円周方向シールは好ましくはタンパーエビデントである。
【００３５】
図２を参照すると、ベッセル１２は、ベッセル底壁２４と、ベッセル底壁２４から上向きに延在する直立したベッセル側壁構造２６とを画定し、液体を保持可能な内部ゾーン２８を画定する。図２に示されているベッセル１２は円形であり、二重壁構造を有する板紙から製造される。ベッセル１２は、好適な食品グレードプラスチック材料から製造されてもよい。好ましくは、ベッセルは、ポリエチレンの薄層でコーティングされた板紙から作られ、これによりベッセルは耐水性になり、かつ板紙の継ぎ目が結合される。横断面形状は円形である必要はない。
【００３６】
カバー１４は、カバー底壁３０と、カバー底壁３０から上向きに延在するカバー側壁構造３２とを画定する。カバー側壁構造３２は、中間フランジ７０が側壁構造２６の内部表面７１に接触した状態で、ベッセル側壁構造２６の内部に置かれるように構成される。カバーは好ましくはポリプロピレンから作られる。ベッセル１２とカバー１４との間に間隙３４が画定され、これは主としてカバー底壁３０とベッセル底壁２４との間に位置する。
【００３７】
図２Ａを参照すると、ベッセル１２は、ベッセル側壁構造２６の上部自由端においてベッセルリム構成３６を含み、カバー側壁構造３２は、ベッセルリム構成３６の上方に配置されるカバーリム構成３８を含み、カバーリム構成３８は好ましくはベッセルリム構成３６の上に載る部分を有する。
【００３８】
カバーリム構成３８は、カバー側壁構造３２の上部端から半径方向外向きに延在するフランジ４０を有し、フランジ４０は円周方向で連続している。カバーリム構成３８の部分４２が、半径方向外部位置において下向きに延在して、使用中にベッセルリム構成３６を含むための環状下向き対向溝７３を画定する。
【００３９】
図２Ｂを参照すると、本発明の別の実施形態では、カバーリム構成３８は、使用中にベッセルリム構成３６と係合してこれを解放可能に保持する環状クリップ４４として形成される。
【００４０】
管状フィルム１６は、下部ゾーン接着剤４８を用いてベッセル１２の外部表面に固定される下部エッジゾーン４６を有する。管状フィルム１６は、上部ゾーン接着剤５２を用いてカバーの上向き対向表面５４に、より詳細には、図示されているように、フランジ４０の上部表面５４に固定される、上部エッジゾーン５０も有する。あるいは、上部エッジゾーン５０は、接着剤を用いて、カバー１４のフランジの半径方向外向き対向面４２に固定されてもよい。
【００４１】
図３を参照すると、飲料製品又は食品製品を作るための乾燥具材（１つ又は複数）６２が間隙３４内に存在し、それにより、高温又は低温の水又はミルクなどの液体を追加して所望の食品又は飲料製品を作ることが可能になる。
【００４２】
図４を参照すると、各パッケージングコンテナ１０に関して、対応する内径５６を有するカバー側壁構造３２の上部領域の内部円周は、対応する外径５８を有するカバー底壁３０の外部円周より大きい。各カバー底壁３０は少なくとも、カバー底壁３０の最上部分の下方に延在するベッセル１２の下部領域６０を受け入れるように構成され、それにより複数のコンテナを、１つのコンテナを別のコンテナの中に入れて積み重ねて、スタック８０を形成することが可能になる。
【００４３】
スタック８０の容積は、個々のパッケージングコンテナ１０の容積の合計より小さい。これにより、個々のパッケージングコンテナ１０が積み重ねられる場合に空間が節約され、例えば、工場敷地でパッケージングコンテナが積み重ねられ、下流への道路、航空、又は海上輸送を介して、スーパーマーケットの棚、又は航空機客室などのパッケージングコンテナが販売され得るその他の領域に置かれるまでの間、空間が節約される。
【００４４】
図５を参照すると、好ましい実施形態では、ベッセルの下部領域及びカバー底壁の両方が実質的に平坦であり、これは複数のパッケージングコンテナを積み重ねることを容易にするのに寄与する。ベッセルは、例えばプラスチック材料から製造される場合、実質的に平坦な下部領域を有して好都合に製造され得る。
【００４５】
図６を参照すると、カバー１４の底壁３０は、カバー１４の最下部周辺末端８１から中央が上向きにくぼみを付けられて、凹型のキャビティ８２を形成する。キャビティ８２は、間隙３４の容積を実質的に拡大して、所望の内容を保持するための容積を増加する。本発明のこの更なる好ましい実施形態による２つのコンテナ１０、１０’が矢印８３の方向に移動されることによって積み重ねられる場合、下部コンテナ１０のカバー１４の底壁３０は、上部コンテナ１０’のベッセル１２の下部領域８３を受け入れるように構成され、ベッセルの下部領域８３は最終的にカバー１４の底壁３０の最上部分の下方に延在する。
【００４６】
図７を参照すると、図６によるコンテナは、積み重ねられる場合に下部コンテナ１０のカバー底壁３０が上部コンテナ１０’のベッセル底壁２４と係合するように構成されてもよい。図６と比較すると、スタックのコンテナ当たりの高さが減少する。
【００４７】
図８を参照すると、本発明の更なる好ましい態様では、カバー底壁が図６の実施形態に比較して上昇され、カバー底壁３０の上昇によって形成されるキャビティ８２は更に増加し、それにより間隙の容積は更に増加する。図６と比較すると、スタック８０のコンテナ当たりの高さは同じままである。
【００４８】
図９を参照すると、本発明の更なる好ましい態様では、図１の実施形態に比較して、カバー底壁３０の高さを増加させることによって間隙の容積が増加され、コンテナの高さは低下される。これらの変更によりコンテナは、マフィン又はケーキなどの加熱される食品製品と共に使用するのにより好適になる。間隙の容積の増加によって、より大きな容積の乾燥具材の収納が促進され、これは乾燥具材の容積が、消費者によって追加される液体の容積に比較して相対的に大きい場合に特に好都合である。コンテナの全体的な高さを減らすことによって、例えばスプーン、フォーク、又は箸などの器具を用いてベッセルから固体内容を直接消費することがより容易になる。
【００４９】
使用中に消費者は、パッケージングコンテナ１０からカバー１４を取り外し、ベッセル１２の内部ゾーン２８に所望の液体を追加する。消費者は、液体と乾燥具材６２とを内部ゾーン２８内で混ぜ合わせて、飲料又は食品製品を形成する。使用者は次に、ベッセルの内部ゾーン２８から直接、飲料製品を飲むか又は食品製品を食べる。パッケージングコンテナ１０は単純であり、使い勝手が良い。
【００５０】
本発明の別の態様では、食品又は飲料製品が間隙３４内に存在し、消費者は単にカバー１４を取り外して、ベッセルの内部ゾーン２８から食品又は飲料製品を消費する。
【００５１】
高温の水又はミルクなどの高温の液体がベッセルに追加される場合、ベッセルは十分な耐熱性を有する材料から作られなければならない。ベッセルは好ましくは、消費者が高温の食品又は飲料製品をそれから消費する場合にそれを保持するための、十分な断熱特性を有する。ベッセルは好ましくは二重壁の紙カップであり、これは従来の手法で製造されてもよい。
【００５２】
カバーは好ましくは食品グレードのプラスチックから作られ、従来の射出成形によって製造されてもよい。
【００５３】
カバー側壁構造の壁は好ましくは薄く、これはパッケージングコンテナを互いの内側に積み重ねるのを支援する。代替の実施形態では、カバーは薄いプラスチックフィルムから作られ、これは製造中に真空吸引されて、具材を含むカップ内に保持される。
【００５４】
ベッセルリム構成を保護するだけでなく、カバーは更に、食品又は飲料製品あるいは１つ以上の具材などの任意の内容を汚染から保護する。
【００５５】
管状フィルムはプラスチックから作られてもよく、好ましくは半透明である。好ましくは、管状フィルムは熱収縮プラスチックから作られる。
【００５６】
パッケージングコンテナの組み立ては一般に、乾燥飲料具材をカップ内に配置し、カバーをカップ内の具材上に配置し、カップ上でカバーを封止することを含む。
【００５７】
食品製品が消費される前に液体が追加されるように構成される場合、内容は好ましくは朝食用シリアルなどのシリアルであり、液体は好ましくはミルクである。あるいは、内容はデザートであってもよく、液体はカスタードなどのソースであってもよい。更なる代替では、内容は、例えばヌードルスープ製品のためのパスタ又はヌードルであってもよく、液体は高温水であってもよい。
【００５８】
飲料製品が消費される前に液体が追加されるように構成される場合、内容は好ましくは、飲料製品を作るための乾燥具材である。以下に限定されないが、飲料製品は好ましくは、ホットチョコレート、インスタントコーヒー、又は茶系飲料である。
【００５９】
特定の実施形態を参照して本発明について説明したが、本発明の範囲を逸脱することなく様々な修正及び変更が行われ得るということが理解されるであろう。例えば本発明は、ボウル内の食品製品に適用されてもよく、ベッセルは、正方形の最上部セクションを有するボウルなどの、軸に関して対称ではない形状であってもよい。
【図１】
2016520481.tif 000003
【図２】
2016520481.tif 000004
【図２Ａ】
2016520481.tif 000005
【図２Ｂ】
2016520481.tif 000006
【図３】
2016520481.tif 000007
【図４】
2016520481.tif 000008
【図５】
2016520481.tif 000009
【図６】
2016520481.tif 000010
【図７】
2016520481.tif 000011
【図８】
2016520481.tif 000012
【図９】
2016520481.tif 000013
【国際調査報告】
2016520481.tif 000014
2016520481.tif 000015
2016520481.tif 000016